(57)【要約】【解決手段】刈払機１０は、駆動軸１３と刈刃１７とを主動ベベルギヤ３２を内蔵したギヤボックス２４で連結し、主動ベベルギヤ３２のボス３３はジャーナル軸受３４で支持させ、ギヤボックス２４内部にねじ嵌合し回転（ｂ軸方向）させることで軸方向（矢印ｄの方向）の位置を調整することができるねじ込式支持部材３５を取り付け、この支持部材３５にジャーナル軸受３４を支持させたものである。【効果】ねじ込式支持部材の軸方向の位置を自身の回転で微調整することにより、ベベルギヤの位置を設定することができる。従って、ベベルギヤ同士の噛合いを調整することができる。噛合い精度の向上を図ることができる。ベベルギヤからの騒音や振動を低減することができる。ねじ込式支持部材を回すだけでよく、噛合い調整は容易である。【選択図】        図３
2005021079.tif 000002
【特許請求の範囲】
【請求項１】
操作杆の先端に刈刃を設け、操作杆の内部に駆動軸を通し、この駆動軸で前記刈刃を回転させる刈払機において、
前記駆動軸と刈刃とをベベルギヤを内蔵したギヤボックスで連結し、前記ベベルギヤのボスはジャーナル軸受で支持させ、ギヤボックス内部にねじ嵌合し回転させることで軸方向の位置を調整することができるねじ込式支持部材を取り付け、この支持部材に前記ジャーナル軸受を支持させたことを特徴とする刈払機のギヤボックス構造。
【請求項２】
前記ねじ込式支持部材は、操作杆が位置する周端部に形成したねじ込み工具を掛合する掛合部を備えたことを特徴とする請求項１記載の刈払機のギヤボックス構造。
【発明の詳細な説明】
【０００１】
【発明の属する技術分野】
本発明は刈払機のギヤボックス構造に関する。
【０００２】
【従来の技術】
従来の刈払機のギヤボックス構造は、ギヤボックス内にベベルギヤをころがり軸受で支持した（例えば、特許文献１参照。）。
【０００３】
【特許文献１】
特開昭６４−４７３１０号公報  （第２頁、第１図）
【０００４】
特許文献１を、図面を参照の上、詳しく説明する。
図１０は従来の刈払機の説明図であり、特許文献１の第１図である。
従来の刈払機は、操作主杆１の先端にギヤーケーシング２１を設け、ギヤーケーシング２１内にベベルギヤ１２をベアリング１３で取り付け、ベベルギヤ１２に噛合うベベルギヤ２２をベアリング２４で取り付けた。
【０００５】
【発明が解決しようとする課題】
上記図１０に示す特許文献１の刈払機では、ギヤーケーシング２１にベベルギヤ１２及びベベルギヤ２２を組み付けた場合に、噛合いの不足若しくは噛合いの過剰を生じることがある。
【０００６】
そこで、本発明の目的は、ベベルギヤ同士の噛合いを調整することができる刈払機のギヤボックス構造を提供することにある。
【０００７】
【課題を解決するための手段】
上記目的を達成するために請求項１は、操作杆の先端に刈刃を設け、操作杆の内部に駆動軸を通し、この駆動軸で刈刃を回転させる刈払機において、駆動軸と刈刃とをベベルギヤを内蔵したギヤボックスで連結し、ベベルギヤのボスはジャーナル軸受で支持させ、ギヤボックス内部にねじ嵌合し回転させることで軸方向の位置を調整することができるねじ込式支持部材を取り付け、この支持部材にジャーナル軸受を支持させたことを特徴とする。
【０００８】
ねじ込式支持部材の位置を自身の回転で微調整することにより、ベベルギヤを所望の位置に設定することができる。従って、ベベルギヤ同士の噛合いの調整が可能となる。
【０００９】
また、ベベルギヤの位置をねじ込式支持部材の回転で微調整することで、ベベルギヤの噛合い精度の向上を図れる。
【００１０】
さらに、ベベルギヤの位置をねじ込式支持部材の回転で微調整することで、ベベルギヤからの騒音や振動の低減を図れる。
【００１１】
請求項２は、ねじ込式支持部材は、操作杆が位置する側の周端部に形成したねじ込み工具を掛合する掛合部を備えたことを特徴とする。
掛合部にねじ込み工具を掛けて、ねじ込式支持部材を回すだけでベベルギヤの噛合いを調整することができ、噛合い調整は容易である。
【００１２】
【発明の実施の形態】
本発明の実施の形態を添付図に基づいて以下に説明する。なお、図面は符号の向きに見るものとする。
図１は本発明に係る刈払機の側面図であり、刈払機１０は、パイプ状の操作杆１１の内部１２に駆動軸１３を通し、この駆動軸１３を操作杆１１の端１４に設けた駆動源１５で回転させることで、操作杆１１の先端１６に設けた刈刃１７を回転させる形式のもので、操作杆１１の長手（矢印ａの方向）の中央部２１にハンドル２２を十文字を呈するようにハンドルホルダー２３で固定したものである。２４はギヤボックスを示す。
駆動源１５はエンジン又は電動モータである。
【００１３】
図２は図１の２矢視図であり、ギヤボックス２４を示すとともに、ギヤボックス２４内に駆動軸１３で回転を伝え、刈刃１７を回転させることを示す。ギヤボックス２４には、グリース注入口２６を形成し、グリース注入口２６にグリースポンプを接続してギヤボックス２４内にグリースを圧入することで、軸受に供給する。
【００１４】
図３は図２の３−３線断面図である。
刈払機１０は、主動機構２８と、従動機構２９を備える。主動機構２８は軸受手段３１を備え、軸受手段３１は、ジャーナル軸受３４と、ねじ込式支持部材３５とからなる。すなわち、刈払機１０は、駆動軸１３と刈刃１７とを主動ベベルギヤ３２を内蔵したギヤボックス２４で連結し、主動ベベルギヤ３２のボス３３はジャーナル軸受３４で支持させ、ギヤボックス２４内部にねじ嵌合し回転（ｂ軸方向）させることで軸方向（矢印ｄの方向）の位置を調整することができるねじ込式支持部材３５を取り付け、この支持部材３５にジャーナル軸受３４を支持させたものである。
【００１５】
ギヤボックス２４は、操作杆１１に嵌合する第１ボックス部３６に第２ボックス部３７を一体に成形したもので、第１ボックス部３６に嵌合穴３８及び第１めねじ３９を形成し、第２ボックス部３７に第２めねじ４１、上述したグリース注入口２６を形成した。
【００１６】
主動ベベルギヤ３２は、中央にボス３３を形成し、ボス３３にスプライン４３を形成した。
図中、４４，４５は第１・第２リング部材、４７，４８は第３・第４リング部材、５１は止め輪を示す。
【００１７】
ジャーナル軸受３４は、油孔５２と内周面５６を有する。
ねじ込式支持部材３５は、ギヤボックス２４に嵌合する嵌合部５３と、おねじ５４と、主動ベベルギヤ３２が位置する端面５５から内周面５６、詳しくはジャーナル軸受３４の内周面５６へ貫通する第１流路５７と、操作杆１１が位置する側の周端部５８に形成した掛合部５９とを備える。６１はゆるみ止め部材を示す。
第１流路５７は、環状に形成した流路部６２と、流路部６２に連通させた孔部６３と、油孔５２とからなる。
【００１８】
従動機構２９は、主動ベベルギヤ３２に噛合わせる従動ベベルギヤ６６と、従動ベベルギヤ６６を支持するとともに従動ベベルギヤ６６で回転する出力軸６７と、出力軸６７の両端７１、７２を受ける第２・第３軸受７３、７４と、を備えた。
【００１９】
第２軸受７３は、出力軸６７に嵌合する出力軸ジャーナル軸受８４と、第２軸受７３の本体８５の表裏面８６、８７に貫通させた油送通孔９１とを備える。
第３軸受７４は、ジャーナル軸受９２を備える。
【００２０】
出力軸６７は、第２軸受７３が位置する上端面９５から第２・第３軸受７３、７４が接触する外周面９６、９７に貫通させた油搬送通路９８を備える。
【００２１】
図４は図３の４−４線断面図であり、ねじ込式支持部材３５の周端部５８に形成した掛合部５９と、ゆるみ止め部材６１に形成した工具を掛合するための凹部１０１を示す。
掛合部５９は、ねじ込式支持部材３５を取り付ける際にねじ込み工具を掛合する部位である。
【００２２】
図５は図３の５−５線断面図であり、ねじ込式支持部材３５に形成した第１流路５７の流路部６２並びに４個の孔部６３・・・（・・・は複数を示す。以下同様。）と、ジャーナル軸受３４に形成した４個の油孔５２・・・と、を示す。
【００２３】
図６は本発明に係るねじ込式支持部材及びジャーナル軸受の斜視図である。
ねじ込式支持部材３５は、既に説明したように、ギヤボックスに嵌合する嵌合部５３と、おねじ５４と、端面５５から内周面５６へ貫通する第１流路５７の流路部６２と、孔部６３・・・と、周端部５８に形成した掛合部５９とを備える。
端面５５には、孔部６３に連通する溝１０２・・・及び位置決め凸部１０３，１０３を形成した。
溝１０２は、油を導く溝で、外周側に位置し、第２リング部材４５に干渉しない開口１０４から油が流入する。
ジャーナル軸受３４には、上述したように４個の油孔５２・・・を形成した。
【００２４】
第２リング部材４５は、位置決め凸部１０３，１０３に嵌合する位置決め孔１０５，１０５を有する。
なお、第１・第２リング部材４４，４５の２枚を用いたが、リング部材の枚数や厚さは任意である。
【００２５】
以上に述べた刈払機のギヤボックス構造の作用を次に説明する。
図７は本発明に係るギヤボックス構造の作用図（その１）である。
まず、ギヤボックス２４に従動機構２９をセットする。すなわち、従動ベベルギヤ６６、出力軸６７及びその他を一体にして嵌め込んだ後、第２軸受７３をねじ込むことで、固定する。その次に、ギヤボックス２４に主動機構を組み付ける。
【００２６】
図８は本発明に係るギヤボックス構造の作用図（その２）である。
ギヤボックス２４に主動機構２８を嵌める。具体的には、主動ベベルギヤ３２に第１・第２リング部材４４，４５、ジャーナル軸受３４（図６参照）、ねじ込式支持部材３５、第３・第４リング部材４７，４８を嵌め、止め輪５１で固定する。そして、ねじ込み工具１１１（図９参照）で第１ボックス部３６の第１めねじ３９にねじ込式支持部材３５のおねじ５４をねじ込むことで、第１ボックス部３６の嵌合穴３８にねじ込式支持部材３５の嵌合部５３が嵌り、芯の位置決めを行うことができる。引き続き、軸方向（矢印ｄの方向）の目安の距離Ｌｂまでねじ込み、その後に、ゆるみ止め部材６１を工具１１２（図９参照）でねじ込む。
【００２７】
図９は本発明に係るギヤボックス構造の作用図（その３）である。
最後に、主動ベベルギヤ３２の軸方向（矢印ｄの方向）の位置をねじ込式支持部材３５の回転（ｂ軸方向）で微調整し、噛合い寸法δの過不足を解消する。従って、主動ベベルギヤ３２と従動ベベルギヤ６６との噛合いを調整することができる。
調整済みのねじ込式支持部材３５をゆるみ止め部材６１で一体的に固定する。
【００２８】
また、主動ベベルギヤ３２の位置をねじ込式支持部材３５の回転で微調整することで、主動ベベルギヤ３２と従動ベベルギヤ６６との噛合い精度の向上を図ることができる。
【００２９】
さらに、主動ベベルギヤ３２の位置をねじ込式支持部材３５の回転で微調整することで、主動ベベルギヤ３２からの騒音や振動を低減することができる。
【００３０】
図６に示すように、ねじ込式支持部材３５は、周端部５８に掛合部５９を形成したので、掛合部５９にねじ込み工具１１１（図９参照）を掛けて、ねじ込式支持部材３５を回すだけで主動ベベルギヤ３２（図９参照）の噛合いを調整することができ、噛合い調整は容易である。
【００３１】
尚、本発明の実施の形態に示した構成部品の材質は任意である。
本発明の実施の形態を刈払機以外の機械に用いることも可能である。
【００３２】
【発明の効果】
本発明は上記構成により次の効果を発揮する。
請求項１では、駆動軸と刈刃とをベベルギヤを内蔵したギヤボックスで連結し、ベベルギヤのボスはジャーナル軸受で支持させ、ギヤボックス内部にねじ嵌合し回転させることで軸方向の位置を調整することができるねじ込式支持部材を取り付け、この支持部材にジャーナル軸受を支持させたので、ねじ込式支持部材の位置を自身の回転で微調整することにより、ベベルギヤを所望の位置に設定することができる。従って、ベベルギヤ同士の噛合いを調整することができる。
【００３３】
また、ベベルギヤの位置をねじ込式支持部材の回転で微調整することで、ベベルギヤの噛合い精度の向上を図ることができる。
【００３４】
さらに、ベベルギヤの位置をねじ込式支持部材の回転で微調整することで、ベベルギヤからの騒音や振動を低減することができる。
【００３５】
請求項２では、ねじ込式支持部材は、操作杆が位置する側の周端部に形成したねじ込み工具を掛合する掛合部を備えたので、掛合部にねじ込み工具を掛けて、ねじ込式支持部材を回すだけでベベルギヤの噛合いを調整することができ、噛合い調整は容易である。
【図面の簡単な説明】
【図１】本発明に係る刈払機の側面図
【図２】図１の２矢視図
【図３】図２の３−３線断面図
【図４】図３の４−４線断面図
【図５】図３の５−５線断面図
【図６】本発明に係るねじ込式支持部材及びジャーナル軸受の斜視図
【図７】本発明に係るギヤボックス構造の作用図（その１）
【図８】本発明に係るギヤボックス構造の作用図（その２）
【図９】本発明に係るギヤボックス構造の作用図（その３）
【図１０】従来の刈払機の説明図
【符号の説明】
１０…刈払機、１１…操作杆、１３…駆動軸、１６…先端、１７…刈刃、２４…ギヤボックス、３２…ベベルギヤ（主動ベベルギヤ）、３３…ボス、３４…ジャーナル軸受、３５…ねじ込式支持部材。
【図１】
2005021079.tif 000003
【図２】
2005021079.tif 000004
【図３】
2005021079.tif 000005
【図４】
2005021079.tif 000006
【図５】
2005021079.tif 000007
【図６】
2005021079.tif 000008
【図７】
2005021079.tif 000009
【図８】
2005021079.tif 000010
【図９】
2005021079.tif 000011
【図１０】
2005021079.tif 000012